(57)【要約】  電気入力信号に従って振動を発生させるための配置（arrangement）が提供される。当該配置は、以下：    第１の永久磁石を含む第１の永久磁石配置と；    磁性材料を含むフレームと；    前記第１の永久磁石と前記フレームとの間に配置されるように、且つ前記フレームと結合されるように構成された第２の永久磁石であって、前記フレームの１つ以上の部分は、前記第２の永久磁石のエッジ領域にわたって少なくとも一方向に延在する、第２の永久磁石と；を含む。前記第２の永久磁石はさらに、前記第１の永久磁石と前記第２の永久磁石との間の磁気相互作用が装置(apparatus)の表面に第１の力を引き起こすように、前記第１の永久磁石と距離を置いて向かい合うように構成される。ここで、前記第１の力と比較して反対方向を有する前記表面に第２の力を引き起こすため、前記フレームの前記１つ以上の部分と前記第１の永久磁石配置との間に磁気相互作用を引き起こすため、前記フレームは、前記第2の永久磁石によって磁化されるように構成されている。【選択図】  （図１１）
2021500833.tif 000002
【特許請求の範囲】
【請求項１】
電気入力信号に従って振動を生成するための配置であって、当該配置は、以下：
基部と；
少なくとも１つの支持部材によって前記基部に関して支持された表面と；
前記表面と結合され、且つ第１の永久磁石を含む第１の永久磁石配置と；
前記基部と結合され、且つ磁性材料を含むフレームと；
前記第１の永久磁石と前記フレームとの間に配置されるように、且つ前記フレームと結合されるように構成される第２の永久磁石であって、前記フレームの１つ以上の部分は、前記第２の永久磁石のエッジ領域にわたって少なくとも一方向に延在し、ここで、前記第１の永久磁石は前記第２の永久磁石と前記表面との間にある；
前記第２の永久磁石は、前記第１の永久磁石と距離をおいて向かい合うようにさらに構成され、それにより、前記第１の永久磁石と前記第２の永久磁石との間の磁気相互作用が、装置の前記表面に第１の力を引き起こす、
ここで、前記第１の力と比較して反対方向を有する前記表面に第２の力を生じさせるために、前記フレームの前記１つ以上の部分と前記第１の永久磁石配置との間に磁気相互作用を引き起こすために、前記フレームと結合された前記第２の永久磁石の極の極性と同一の、前記第２の永久磁石の極性によって磁化されるように、前記フレーム１１１０は構成される、第２の永久磁石１２０と；
電気入力信号を受信するための入力と結合されたコイルであって、前記コイルは、振動を生成する前記表面を変位させるために、前記電気入力信号に従って磁場を生成するように構成された、コイルと；
を含む配置。
【請求項２】
前記コイルは、前記第２の永久磁石を取り囲むように配置されるように構成される、請求項１に記載の配置。
【請求項３】
前記コイルは、前記フレームの前記１つ以上の部分と前記第１の永久磁石配置との間に位置するように構成される、請求項２に記載の配置。
【請求項４】
前記フレームが、前記第２の永久磁石を受容するキャビティを含む、請求項１〜３のいずれか一項に記載の配置。
【請求項５】
前記第１及び第２の永久磁石の同じ極性が互いに向き合うように構成される、請求項１〜４のいずれか一項に記載の配置。
【請求項６】
前記第２の永久磁石に面するように構成される前記第１の永久磁石の表面の表面積は、前記第１の永久磁石に面するように構成される前記第２の永久磁石の表面の表面積よりも大きい、請求項１〜５のいずれか一項に記載の配置。
【請求項７】
前記第２の力は、前記第１の永久磁石と前記フレームの前記１つ以上の部分との間の磁気相互作用によって少なくとも引き起こされるように構成される、請求項６に記載の配置。
【請求項８】
前記コイルが、前記フレームの前記１つ以上の部分と前記第１の永久磁石との間に直接位置されるように構成される、請求項６又は７に記載の配置。
【請求項９】
前記第１の永久磁石配置は、前記フレームの前記１つ以上の部分と前記第１の永久磁石配置との間に前記磁気相互作用を生成するために、前記フレームの前記１つ以上の部分に面するように構成された第３の永久磁石をさらに含む、請求項１〜８のいずれか一項に記載の配置。
【請求項１０】
前記第３の永久磁石は、前記第１の永久磁石を取り囲むように構成される、請求項１〜９のいずれか一項に記載の配置。
【請求項１１】
前記フレームが、前記コイル及び前記第２の永久磁石のためのキャビティを含む、請求項１〜１０のいずれか一項に記載の配置。
【請求項１２】
前記第１の永久磁石配置は、磁性材料を含む第２のフレームを含み、前記第２のフレームは、前記第１の永久磁石配置と、前記第２の永久磁石と結合された前記フレームの前記１つ以上の部分との間の前記磁気相互作用によって引き起こされた前記第２の力を増大させるために、前記第１の永久磁石配置の１つ以上の永久磁石によって磁化されるように構成されている、請求項１〜１１のいずれか一項に記載の配置。
【請求項１３】
当該配置は、前記電気入力信号に従ってオーディオ出力を生成するためのものである、請求項１〜１２のいずれかに記載の配置。
【請求項１４】
当該配置は、前記電気入力信号に従って触覚フィードバックを生成するためのものである、請求項１〜１３のいずれかに記載の配置。
【請求項１５】
前記コイルは、前記第２の永久磁石の周りにループされるように構成される、請求項１〜１４のいずれか一項に記載の配置。
【発明の詳細な説明】
【技術分野】
【０００１】
分野
本発明は、電気エネルギーを振動に変換するための、トランスデューサー、例えばラウドスピーカー、に関する。
【背景技術】
【０００２】
背景
トランスデューサーはエネルギーを１つの形態から別の形態に変換することがあり、且つ前記ラウドスピーカーなどのデバイスに適用される。ラウドスピーカーは音を出すためにさまざまな場所で広く使用されている。出願ＷＯ２０１６／０７９３８５は、ラウドスピーカー装置を開示している。前記ラウドスピーカー装置は、表面に結合された第１の磁石と、基部に結合された第２の磁石とを備える。前記ラウドスピーカー装置は、少なくとも１つの支持部材をさらに備える。前記第１の磁石、前記第２の磁石及び前記支持部材は、前記表面を平衡状態に保つ。前記第１の磁石及び前記第２の磁石は、互いに向かい合うように配置され、且つコイルは、電気信号が前記コイルに供給されるときに力を生成するために前記磁石の間に配置される。前記力は前記表面の平衡状態を壊す。例えば、記載された配置(arrangement)に適用可能であり得るさらなる解決策を提供することは有益であり得る。例えば、平衡状態を可能にするためのさらなる解決策が有益であり得る。
【発明の概要】
【発明が解決しようとする課題】
【０００３】
簡単な説明
一態様によれば、独立請求項の主題が提供される。
【０００４】
いくつかの実施形態は、従属請求項に記載されている。
【課題を解決するための手段】
【０００５】
一態様によれば、電気入力信号に従って振動を生成するための配置(an  arrangement)が提供される。当該配置は、以下：
装置(an  apparatus)の表面と結合されるように構成された第１の永久磁石と；
前記装置(the  apparatus)の基部と結合するように構成された第2の永久磁石であって、前記第1及び第2の永久磁石は、互いに向き合うように、且つ前記表面に第1の力を生じさせるように構成されている、第2の永久磁石と；
電気入力信号を受信するための入力と結合されたコイルであって、振動を生成する前記表面を変位させる(displace)ために、前記電気入力信号に従って磁場を生成するように構成されたコイルと；
を含む。ここで、当該配置(the  arrangement)は、：
前記表面と結合されるように、且つ少なくとも部分的に前記第１の永久磁石を取り囲むように構成された第１の磁性オブジェクトと；
前記基部と結合されるように、且つ前記第２の永久磁石を少なくとも部分的に取り囲むように構成された第２の磁性オブジェクトと；
をさらに含む。ここで、前記第1及び第2の磁性オブジェクトのうち少なくとも1つは永久磁石を含み、前記第1及び第2の磁気オブジェクトは、互いに向き合うように配置されるように、且つ前記第１の力と比較して反対方向を有する前記表面に、第２の力を引き起こすように構成される。
【０００６】
一実施形態において、前記コイルは、前記第１及び第２の永久磁石の間に配置されるように構成される。
【０００７】
一実施形態において、前記コイルは、前記第１の永久磁石及び第２の永久磁石のうち１つの周りに配置されるように構成される。
【０００８】
一実施形態において、当該配置(arrangement)は、前記電気入力信号に従ってオーディオ出力を生成するためのものである。
【０００９】
一実施形態において、前記第２の磁性オブジェクトは永久磁石を含む。
【００１０】
一実施形態において、前記第１の磁性オブジェクトは永久磁石を含む。
【００１１】
一実施形態において、前記第１の永久磁石の第１の極は第２の永久磁石に面している。及びここで、前記第１の永久磁石の第２の極は、前記第２の磁性オブジェクトに面する前記第１の磁性体を磁化するため、前記第１の磁性オブジェクトに固定されている。
【００１２】
一実施形態において、前記第１の磁性オブジェクトは前記第１の永久磁石を取り囲み、且つ前記第２の磁性オブジェクトは前記第２の永久磁石を取り囲む、及びここで、前記第１の磁性オブジェクト、前記第２の磁性オブジェクトのうち少なくとも１つは、軸方向に磁化された永久リング磁石を含む。
【００１３】
一実施形態において、前記コイルは、前記電気入力信号に従って第１の磁場を生成するように構成された第１のコイルである。当該配置は、前記第１及び第２の磁性オブジェクトの間に配置され、且つ電気入力信号に従って第２の磁場を生成するように構成された第２のコイルをさらに含む。
【００１４】
一実施形態において、当該配置は、：
前記第１のコイルに入力される前記電気入力信号の位相が、前記第２のコイルに入力される前記電気入力信号の位相と比較して実質的に１８０度異なるように、前記電気入力信号の位相をシフトする手段、
をさらに含む。
【００１５】
一実施形態において、前記第１のコイルの巻線は、前記第２のコイルの巻線と反対である。
【００１６】
一実施形態において、当該配置は、：
磁性材料を含み、且つ前記第１の永久磁石と前記第１の磁性オブジェクトの永久磁石との間、及び／又は前記第２の永久磁石と前記第２の磁性オブジェクトの永久磁石との間に配置される、少なくとも１つのさらなる要素、
をさらに含む。
【００１７】
一実施形態において、前記少なくとも１つのさらなる要素は、前記第１の磁性オブジェクト及び／又は前記第２の磁性オブジェクトに含まれる軸方向に磁化された永久リング磁石のコアを含む。
【００１８】
一実施形態において、前記少なくとも１つのさらなる要素は、前記第１の永久磁石及び／又は前記第２の永久磁石のためのキャビティを含む。
【００１９】
一実施形態において、前記第１及び第２の力は実質的に等しい大きさである。
【００２０】
一態様によれば、以下：
表面；
基部；及び
電気入力信号に従って振動を生成するための前記配置(arrangement)のうち少なくとも１つ；
を含む装置(an  apparatus)が提供される。
【００２１】
一態様によれば、電気入力信号に従って振動を生成する配置(an  arrangement)を製造する方法が提供される。当該方法は、：
第１の永久磁石を装置の表面と結合すること；
第２の永久磁石を前記装置の基部に結合することであって、前記第１及び第２の永久磁石は、互いに向き合うように、且つ前記表面に第１の力を生じさせるように構成されること；
前記第１及び第２の永久磁石の間にコイルを配置することであって、前記コイルは、振動を発生させる前記表面を変位させるために前記電気入力信号に従って磁場を生成するように構成されること；
を含み。当該方法は、：
第１の磁性オブジェクトを前記表面と結合することであって、それにより前記第１の磁性オブジェクトが前記第１の永久磁石を少なくとも部分的に取り囲むようにすること；
第２の磁性オブジェクトを前記基部と結合することであって、それにより前記第２の磁性オブジェクトが前記第２の永久磁石を少なくとも部分的に取り囲むようにすること；
をさらに含む。ここで、前記第１及び第２の磁性オブジェクトのうち少なくとも１つは永久磁石を含み、前記第１及び第２の磁性オブジェクトは互いに向き合うように、且つ前記第１の力と比較して反対方向を有する前記表面に第２の力を生じさせるように構成されてる。
【００２２】
図面の簡単な説明
以下において、本発明は、添付の図面を参照して好ましい実施形態によってより詳細に説明されるであろう。
【図面の簡単な説明】
【００２３】
【図１】図１は、本発明の実施形態を適用することができる配置(arrangement)の断面図を示す。
【図２】図２は、一実施形態の断面図を示す。
【図３】図３は、一実施形態の断面図を示す。
【図４】図４A及び４Bは、いくつかの実施形態を示す図である。
【図５】図５A及び５Bは、いくつかの実施形態の断面図を示す。
【図６】図６A及び６Bは、いくつかの実施形態による一配置の上面図を示す。
【図７】図７Ａ、７Ｂ及び７Ｃは、いくつかの実施形態を示す。
【図８】図８は、一実施形態を示す図である。
【図９】図９は、一実施形態によるフロー図を示す。
【図１０】図１０は、一実施形態による一配置を示す図である。
【図１１】図１１は、図１１、１２、１３、１４、１５及び１６は、いくつかの実施形態を示している。
【図１２】図１１は、図１１、１２、１３、１４、１５及び１６は、いくつかの実施形態を示している。
【図１３】図１１は、図１１、１２、１３、１４、１５及び１６は、いくつかの実施形態を示している。
【図１４】図１１は、図１１、１２、１３、１４、１５及び１６は、いくつかの実施形態を示している。
【図１５】図１１は、図１１、１２、１３、１４、１５及び１６は、いくつかの実施形態を示している。
【図１６】図１１は、図１１、１２、１３、１４、１５及び１６は、いくつかの実施形態を示している。
【発明を実施するための形態】
【００２４】
詳細な説明
以下の実施形態は例示である。本明細書はテキストのいくつかの場所で「１つの（ａｎ）」、「１つの（ｏｎｅ）」、又は「いくつかの（ｓｏｍｅ）」実施形態を参照する場合があるが、これは、各参照が同じ実施形態に対して行われること、又は特定の機能が1つの実施形態にのみ適用されることを必ずしも意味しない。異なる実施形態の単一の特徴を組み合わせて、他の実施形態を提供することもできる。
【００２５】
ＷＯ２０１６０７９３８５は、その全体が参照として本明細書に組み込まれている。
【００２６】
図１は、触覚出力（例えば、触覚フィードバック）又は音声出力（例えば、音声フィードバック）などの振動を生成するための配置１０を示す。図１を参照すると、当該配置１０は、：
機械的に変位するように配置された表面１０２と、
前記表面１０２に結合された第１の磁石１１０と、
前記表面１０２を支持するための少なくとも１つの支持部材１０８と、
基部１０４と、
前記基部に結合された第２の磁石１２０と；
を含む。ここで、図１に示すように、前記第２の磁石１２０は前記第１の磁石１１０に面するように配置される。当該配置１０は、前記第１及び第２の磁石１１０、１２０の間に配置されたコイル１２２と、前記コイル１２２と電気的に結合された入力１３０（例えば、信号ポート）とをさらに含んでよい。ここで、電気信号は、前記信号ポート１３０と前記コイル１２２との間を移動するように構成される。前記第１の磁石１１０と前記第２の磁石１２０との間の磁場は、前記表面１０２に力を引き起こす。ここで、前記表面１０２及び前記少なくとも１つの支持部材１０８を含むエンティティは、前記表面１０２を力の平衡状態にさせる、前記磁場によって引き起こされる力に対する反力として作用する支持反力を提供する、少なくとも１つの弾性要素を含む。及びここで、前記コイル１２２内の前記電気信号は、前記表面１０２の機械的変位に比例し、その場合、前記力の平衡状態は、前記コイル１２２内の前記電気信号か、又は前記力の平衡状態の位置からの前記表面１０２の前記機械的変位のいずれかによって破壊される。すなわち、電気信号が前記入力１３０を介して前記コイル１２２に供給されると、前記力の平衡が崩れる可能性がある。したがって、前記表面１０２は、前記電気入力信号に従って（矢印１０３で示されるように）振動させられ得る。さらに、前記表面１０２は、前記少なくとも１つの支持部材１０８によって支持されてもよいこと、例えば、前記表面１０２は、領域（複数可）１０１からの前記少なくとも１つの支持部材と結合され得ることに留意されたい。例えば、前記表面１０２は、したがって、前記基部１０４に対して支持され得る（例えば、部材（複数可）１０８は、前記基部１０４に含まれ得る）。例えば、当該配置１０は、前記電気入力信号に従って音声出力を生成するためのものであってもよい。音声出力は、人間の耳によって検出可能な音、すなわち人間が聞くことができる音を意味する及び／又は含むことができる。いくつかの例では、それは、動物（複数可）及び／又は音声センサー（例えば、マイクロフォン）によって検出可能である音を指す場合がある。例えば、前記音声出力は、音楽、スピーチ、音響効果などを含み得る。また、前記表面１０２及び前記基部１０４は、携帯電話、テレビ、コンピュータ、音楽プレーヤー、又はユーザデバイスの他の何らかのタイプなどの装置の一部であり得ることも指摘される。例えば、前記基部１０４は、前記装置のフレームの少なくとも一部を形成することができる。例えば、前記表面１０２は、当該装置（例えば、電子装置）のスクリーンであり得るか、又はそれに含まれ得る。例えば、提供するソリューションは自動車産業（例えば自動車など）に適用可能であり得る。例えば、前記表面１０２は、車のインテリアパネルなどの車のパネルを含み得る（例えば、ドアパネル、天井又はルーフパネル、壁パネル、フレームパネル、又は車のインテリアの他のいくつかのパーツ）。例えば、表面１０２は、車のディスプレイを含み得る。例えば、表面１０２は、ウェアラブル電子デバイスなどのウェアラブルデバイスに含まれてもよい。例えば、表面１０２は、時計又は手首デバイスなどのポータブル電子デバイスに含まれてもよい（例えば、表面１０２は、そのようなデバイスのディスプレイ）。例えば、前記表面１０２は車載用ディスプレイ（car  display）を含み得る。例えば、前記表面１０２は、ウェアラブル電子デバイスなどのウェアラブルデバイスに含まれてもよい。例えば、前記表面１０２は、時計又は手首デバイスなどの携帯型電子デバイスを含み得る（例えば、表面１０２は、そのようなデバイスのディスプレイに含まれ得る）。
【００２７】
図１の当該配置１０に適用可能であり得るさらなる解決策が提供される。前記さらなる解決策は、ここでより詳細に議論される。図２は一実施形態を図示する。図２を参照すると、電気入力信号に従って振動を生成するための配置(an  arrangement)１００が示されている。当該配置１００は、以下：
装置(an  apparatus)の前記表面１０２と結合するように構成された前記第１の永久磁石１１０と；
前記装置の前記基部１０４と結合するように構成された前記第２の永久磁石１２０であって、前記第１及び第２の永久磁石１１０、１２０は、互いに向き合うように配置されるように、且つ前記表面１０２に第１の力を生じさせるように構成されること、と；
前記第１及び第２の永久磁石１１０、１２０の間に配置され、且つ電気入力信号を受信するために前記入力１３０と結合された前記コイル１２２であって、（例えば、図１において矢印１０３で示される）振動を生成する前記表面１０２を変位させるために、前記電気入力信号に従って磁場を生成するように構成される前記コイル１２２と；
を含む。当該配置１００はさらに、前記表面１０２と結合するように構成された第１の磁性オブジェクト２１０と、前記基部１０４と結合するように構成された第２の磁性オブジェクト２２０とを含む。前記第１及び第２の磁性オブジェクト２１０、２２０は、向き合うように配置されるように、且つ前記第１の力と比較して、反対方向を有する前記表面１０２に第２の力を引き起こすように構成される（すなわち、前記第１及び第２の永久磁石１１０、１２０によって前記表面１０２に引き起こされる力）。したがって、図１で説明した前記力の平衡状態を取得するため、前記第２の力をさらに使用することができる。これにより、追加の利点が得られる。例えば、前記反対に働く力（counterforce）が前記表面１０２のエッジ領域から加えられる解決策と比較して、より均一な方法で前記反対の力(opposing  force)が前記表面に加えられるので、前記表面１０２のひずみは減少するかもしれない。そのような反対に働く力は、前記表面１０２の曲げを引き起こす可能性があり、これは、説明されるように、前記オブジェクト２１０、２２０を使用することによって低減され得る。別の利点は、より強力な永久磁石１１０、１２０を使用できることであるかもしれない。なぜなら、前記より強力な永久磁石に反対に働く力を提供する可能性があるためである。前記表面１０２の前記曲げはまた、反対に働く力を生成する可能性があること、及びいくつかの実施形態では前記反対に働く力の少なくとも一部を提供するために使用できることも指摘される。例えば、図１１、１２、１３、１４、１５、及び／又は１６を参照して説明された解決策を利用して、同様の又は同じ効果を達成することができる。
【００２８】
代替の一実施形態において、前記コイル１２２は、前記永久磁石１１０、１２０の間に配置する(placement)代わりに、前記磁性オブジェクト２１０、２２０の間に配置される(placed)。
【００２９】
図１及び図２に示されるように、前記永久磁石１１０、１２０は、互いに距離を置いて配置されてもよい。同様に、前記オブジェクト２１０、２２０は、互いに距離を置いて配置されてもよい。これは、前記表面１０２が前記コイル１２２の信号に従って振動することを可能にし得る。前記表面１０２は、前記基部１０４から少なくともいくつかの領域から距離を置いてもよいことも指摘される。つまり前記表面１０２は、振動してもよいように、吊り下げ可能に配置され、予め張力をかけられ、及び／又は他の方法で配置される。
【００３０】
前記解決策をさらに強化するために、前記第１及び第２の磁性オブジェクト２１０、２２０の配置(placement)は、前記第１の磁性オブジェクト２１０が少なくとも部分的に前記第１の永久磁石１１０を取り囲み(encircles)及び／又は包囲し(surrounds)、且つ前記第２の磁性オブジェクト２２０が少なくとも部分的に前記第２の永久磁石１２０を取り囲み(encircles)及び／又は包囲する(surrounds)ようにできる。前記取り囲むこと（encircling）は、前記オブジェクト２１０、２２０が前記対応する磁石を完全に包囲するか、又は少なくとも前記それぞれの磁石の反対側まで延在するようにすることができる（すなわち、永久磁石１１０、１２０が前記それぞれの磁性オブジェクト２１０、２２０の少なくとも２つの部分の間に配置される）。前記磁性オブジェクト２１０、２２０が、前記それぞれの永久磁石１１０、１２０を少なくとも部分的に取り囲むピースから作られることも可能であり、これは、前記磁性オブジェクト２１０、２２０のすべての部分が必ずしも磁性であるわけではないことを意味する。
【００３１】
前記第１及び第２の磁性オブジェクト２１０、２２０間の磁気相互作用によって引き起こされる前記第２の力（反対に働く力（counterforce）とも呼ばれる）を達成するための異なる可能性がある。一例では、前記第１及び第２の磁性オブジェクト２１０、２２０のうち少なくとも１つは、永久磁石である（例えば、一方は永久磁石であり、且つ他方は磁性材料を含むか、又は両方が永久磁石である）。
【００３２】
図２に示すように、前記第１の磁性オブジェクト２１０は前記第１の永久磁石１１０から距離を置いて配置できることに留意されたい。同様に、前記第２の磁性オブジェクト２２０と前記第２の永久磁石１２０との間に特定のギャップがあり得る。それらの間の前記ギャップを使用することにより、例えば、前記第２の永久磁石１２０と前記第１の磁性オブジェクト２１０との間の磁力の相互作用を低減することができる。同様に、前記ギャップは、前記第１の永久磁石１１０と前記第２の磁性オブジェクト２２０との間の磁力の相互作用を低減することができる。したがって、前記ギャップを使用すると、提供される解決策をさらに改善することができる。前記第１の磁性オブジェクト２１０と前記第１の永久磁石１１０との間、及び／又は前記第２の磁性オブジェクト２２０と前記第２の永久磁石１２０との間の前記距離もしくはギャップは、例えば、少なくとも１ミリメートル（ｍｍ）、５ｍｍ、１センチメートル（ｃｍ）、２ｃｍ、３ｃｍ、４ｃｍ、５ｃｍ、１０ｃｍ以上であり得る。前記ギャップは、エアギャップもしくは他の何らかのガスを指す場合があり、又はいくつかの実質的に非磁性の材料を含む場合がある。後で説明するように、前記磁石と磁性オブジェクトとの間に磁性材料を使用することもできる。
【００３３】
磁石もしくは磁性オブジェクトの前記表面１０２もしくは前記基部１０４との前記結合は、前記磁石もしくは磁性オブジェクトを前記表面１０２もしくはベース１０４に固定すること又は取り付けることを指す場合があることに留意されたい。このような固定は、例えば、接着剤(glue)及び／又はネジ、を使用して達成されてもよい。いくつかの例では、前記異なる磁石（複数可）及び／又は磁性オブジェクト（複数可）が、前記表面１０２及び／又は前記基部１０４上に印刷されてもよい。したがって、前記結合することは、印刷（例えば、電子印刷）を含んでもよい。さらに、前記永久磁石１１０、１２０の間の前記コイル１２２の当該配置(arrangement)は、前記コイル１２２を前記第２の永久磁石１２０と、又は前記第１の永久磁石１１０と結合すること（例えば、固定すること又は取り付けること）を含むことができる。しかし、それが前記永久磁石１１０、１２０のいずれにも物理的に接触しないように、前記永久磁石１１０、１２０の間に前記コイル１２２を配置するために、別個の要素を使用することも可能であり得る。例えば、前記要素（複数可）は、当該配置の前記基部１０４又は他のいくつかの部分に取り付けられてもよく、且つ前記永久磁石１１０、１２０の間の領域に達してもよい。同様に、おそらく使用されるさらなるコイル（例えば、コイル７２２）に関する取り付けが使用されてもよい。
【００３４】
また、前記表面１０２は、複数の異なる解決策を使用して前記基部１０４に対して支持されてもよい。例えば、前記表面１０２を支持するため、１つ以上の弾性及び／又は可撓性要素を使用することができる。１つの例では、前記１つ以上の弾性及び／又は可撓性要素は、前記表面１０２と前記基部１０４との間に配置されるばね（複数可）を含む。しかしながら、前記反対に働く力が前記磁性オブジェクト２１０、２２０を使用して部分的又は完全に達成され得るので、これらは、必ずしも必要ではないかもしれない。したがって、これらの１つ以上の弾性及び／又は可撓性要素は、さらに詳細に論議されない。前記表面１０２は、前記基部１０４に対して少なくとも１つの領域１０１から支持され得ることで十分であり得る（例えば、前記表面１０２のエッジ領域１０１、例えばスクリーンなど）。前記領域（複数可）１０１上の支持することは、少なくとも部分的に弾性であってもよく、及び／又は前記表面１０２が前記入力１３０を介して入力された前記電子信号に従って前記基部１０４に対して前記エッジ領域から前記コイル１２２へ移動することもできるようにクリアランス(clearance)を含んでもよい。
【００３５】
一実施形態によれば、前記提供される配置（arrangement）は、前記要素３１０と３２０との間に配置された１つ以上の弾性要素（例えば、ばね）を含む（例えば、前記反対に働く力を提供するために両方の要素に固定された）。同様に、２つの磁石（例えば、磁石１１０、１２０）のみが使用される場合、前記ばねは、前記磁石と結合される（例えば、固定される）基部の間に配置されてもよい。したがって、例えば、磁石１１０は、１つの基部を含むか、又は１つの基部と結合されてもよい。したがって、例えば、磁石１２０は、１つの基部を含むか、又は１つの基部と結合されてもよい。したがって、前記ばね又は同様の要素を前記基部に接続することができる。したがって、説明したように、当該配置は当初必ずしも前記表面１０２及び前記基部１０４を必要としないが、当該配置はすでに平衡状態にあるように構成されている場合があるため、当該配置は、最小限の労力で前記表面１０２及び前記基部１０４を含むそのようなシステム又は装置(apparatus)に配置されてもよい。
【００３６】
また、前記表面１０２は剛性であり得る（すなわち、屈曲がほとんどないか、又は全くない、例えば、柔軟性がない）ことも指摘される。前記表面１０２は、例えば、平面を含み得る。前記表面１０２は、例えば、金属、木材、ガラス、及び／又はプラスチックを含み得る。一実施形態において、前記表面１０２の厚さは、少なくとも１ｍｍ、２ｍｍ、３ｍｍ、又は５ｍｍである。一実施形態において、前記表面１０２の厚さは少なくとも１ｃｍである。一実施形態において、前記表面１０２の厚さは少なくとも２ｃｍである。一実施形態において、前記表面１０２の厚さは少なくとも５ｃｍである。
【００３７】
図３は、一実施形態による当該配置１００を示す。図３を参照すると、前記第１及び第２の磁性オブジェクト２１０、２２０はそれぞれ永久磁石２１１、２２１を含む。永久磁石の数は必ずしも２つに限定されないが、少なくともいくつかの例では２つが十分であるかもしれない（例えばリング磁石）。図３の例では、前記第１及び第２の永久磁石１１０、１２０は、前記磁石１１０、１２０を互いに離れるように押すやる力を引き起こす。しかしながら、前記第１及び第２の磁性オブジェクト２１０、２２０（又はより正確にはそれらの永久磁石２１１、２２１）は、それらが互いに引き合うように配置される。したがって、前記表面１０２への全体的な力は、前記２つの押す力及び引く力の合計であり得る。当然のことながら、前記力は逆に配置されてもよい（すなわち、永久磁石１１０、１２０が互いに引き合い、且つ永久磁石２１１、２２１が互いに押し合う）。
【００３８】
先に、前記磁性オブジェクト２１０と前記永久磁石１１０との間、及び同様に前記磁性オブジェクト２２０と前記永久磁石１２０との間にギャップがあり得ることが説明された。一実施形態において、当該配置１００は、磁性材料を含む少なくとも１つのさらなる要素３１０、３２０をさらに含む。例えば、第１のさらなる要素３１０は、前記第１の永久磁石１１０の間に、且つ前記第１の磁性オブジェクト２１０の前記永久磁石２１１の間に配置され得る。例えば、第２のさらなる要素３２０は、前記第２の永久磁石１２０と、前記第２の磁性オブジェクト２２０の前記永久磁石２２１との間に配置され得る。前記少なくとも１つのさらなる要素３１０、３２０は、前記磁石２１１、１１０の間、及び前記磁石２２１、１２０の間のバッファとして機能することができる。ここでのバッファは、前述のギャップを使用して減少した前記磁気相互作用は、前記永久磁石間の前記少なくとも１つのさらなる要素３１０、３２０を使用してさらに減少され得ることを意味することができる。したがって、前記ギャップ（複数可）の必要はなく、及びしたがって、より小さなデバイスを実現することができる。しかしながら、前記少なくとも１つのさらなる要素３１０、３２０に加えて、前記磁石間の前記１つ又は複数のギャップが使用されてもよい。例えば、前記少なくとも１つのさらなる要素３１０、３２０は、鉄などの、強磁性材料及び／又はフェリ磁性材料（複数可）を含み、かつ／又はそれらから作製される。
【００３９】
一実施形態において、前記第１の磁性オブジェクト２１０は、前記第１の要素３１０に結合される（例えば、取り付け又は固定される）。
【００４０】
一実施形態において、前記第２の磁性オブジェクト２２０は、前記第２の要素３２０に結合される（例えば、取り付け又は固定される）。
【００４１】
一実施形態において、前記第１の永久磁石１１０は、前記第１の要素３１０に結合される（例えば、取り付け又は固定される）。
【００４２】
一実施形態において、前記第２の永久磁石１２０は、前記第２の要素３２０に結合される（例えば、取り付け又は固定される）。
【００４３】
一実施形態において、前記少なくとも１つのさらなる要素３１０、３２０は、前記第１の磁性オブジェクト２１０及び／又は前記第２の磁性オブジェクト２２０に含まれる軸方向に磁化された永久リング磁石のコアを含む。例えば、前記第１の要素３１０は、軸方向に磁化された永久リング磁石２２１の前記コアを形成することができる。例えば、前記第２の要素３１０は、軸方向に磁化された永久リング磁石２２１の前記コアを形成することができる。
【００４４】
一実施形態において、前記少なくとも１つのさらなる要素３１０、３２０は、前記第１の永久磁石１１０及び／又は前記第２の永久磁石１２０のためのキャビティを含む。これは、前記第１の永久磁石１１０が前記リング磁石２１１の前記コアを形成する前記第１の要素３１０のキャビティ内に配置されてよい図３に示され得る。同様に、前記第２の永久磁石１２０は、前記リング磁石２２１の前記コアを形成する前記第２の要素３２０のキャビティ内に配置されてよい。前記コイル１２２は、前記少なくとも１つのさらなる要素３１０、３２０の前記領域に到達してもよい（例えば、要素３１０と３２０との間）。ただし、これは必ずしも必要ではないかもしれない。
【００４５】
図４Ａ及び４Ｂは、前記永久磁石及び／又は磁性オブジェクトの異なる配置のいくつかの例を示す。例えば、図４Ａを参照すると、永久磁石１１０、１２０のＮ極が互いに向かい合うように配置されている場合、他方がＳ極を提供し、且つ前記他方が棚井に向かいあっているＮ極を提供するように、前記磁性オブジェクト２１０、２２０は配置され得る。したがって、前記第１の力及び前記第２の力は、反対方向であり得る。図４Ｂを参照すると、前記第２の永久磁石１２０が反転され(flipped)、及びしたがって、前記磁石１１０、１２０の間に引っ張り力が存在する。したがって、それらの間の前記反対の力を達成するために、磁前記性オブジェクト２１０、２２０のうちの少なくとも１つを配置することが必要な場合がある。
【００４６】
永久磁石２１１、２２１の使用は、すべての場合に必要であるとは限らない。そのような構成の例は、いくつかの実施形態を示す図５Ａ及び５Ｂに示され得る。図５Ａ及び５Ｂを参照すると、前記第１の磁性オブジェクト２１０又は前記第２の磁性オブジェクト２２０は、１つの要素５１０又は５２０を含むことができる。前記要素（複数可）５１０、５２０は、強磁性材料及び／又はフェリ磁性材料などの及び／又は磁性材料から作製されてもよい。したがって、前記第１及び第２の磁性オブジェクト２１０、２２０の他方が永久磁石を含む場合、前記要素５１０、５２０は、両方の磁性オブジェクト２１０、２２０が永久磁石を含む状況と同様に、前記反対に働く力を提供するために使用され得る。
【００４７】
一実施形態によれば（図５Ａを参照）、前記第１の永久磁石１１０の第１の極前記は第２の永久磁石１２０に面し、ここで、前記第１の永久磁石１１０の第２の極は、前記第２の磁性オブジェクト２２０に対面する、前記第１の磁性オブジェクト２１０（又はより具体的には前記要素５１０）を磁化するため、前記第１の磁性オブジェクト２１０に固定される。そのような場合、前記第２の磁性オブジェクト２２０は、例えば、永久磁石を含むことができる（例えば、図５Ａに示されるような、永久磁石２２１）。
【００４８】
一実施形態によれば（図５Ｂを参照）、前記第２の永久磁石１２０の第１の極は前記第１の永久磁石１１０に面するように配置され、ここで、前記第２の永久磁石１２０の第２の極は、前記第１の磁性オブジェクト２１０に対面する、前記第２の磁性オブジェクト２２０（又はより具体的には前記要素５２０）を磁化するため、前記第２の磁性オブジェクト２２０に固定される。このような場合、前記第１の磁性オブジェクト２１０は、例えば、永久磁石を含むことができる（例えば、図５Ｂに示されるような永久磁石２１１）。例えば、第１の極は北であり得、第２の極は南であり得る。逆に、第１の極は南であり得、第２の極は北であり得る。図において（例えば、図５Ａ及び５Ｂ）、一方の磁極（例えば、第１の極）は、バックスラッシュを含むパターン塗りつぶしで示され得、且つ他方の磁極（例えば、第２の極）は、スラッシュ又は斜線(solidus)を含むパターン塗りつぶしで示される。
【００４９】
図５Ａ及び図５Ｂに示されるように、前記磁性オブジェクト２１０、２２０が前記永久磁石１１０、１２０を使用して磁化される場合、前記磁性オブジェクト２１０、２２０は、磁化された要素５１０、５２０と呼ばれてもよい（すなわち、磁性オブジェクト２１０は要素５１０であり、且つ磁性オブジェクト２２０は要素５２０である）。したがって、領域５１２、５２２は、それらが反対に働く力を提供することを可能にするように磁化されてもよい。例えば、図５Ａを参照すると、第１及び第２の永久磁石１１０、１２０の同じ極が互いに面している場合、前記領域５１２は、前記第１の永久磁石１１０の対向する極（すなわち、前記第２の永久磁石１２０に面する前記極に対向する）で磁化され得るので、前記磁化要素５１０は、前記領域５１２から前記磁石２２１に引き寄せられる。同様に、図５Ｂの前記領域（複数可）５２２は、同じ原理に従って磁化されてもよい。したがって、例えば、図５Ａでは、領域５１２は、それらが第２の極を表すように磁化されてもよい（すなわち、バックスラッシュで満たされた部分）。
【００５０】
さらに、前記要素５１０、５２０は、前記永久磁石１１０、１２０のためのキャビティを含むことができることに留意されたい。前記キャビティは、前記１つ又は複数の延長(elongating)領域５１２、５２２が前記永久磁石１１０、１２０と直接接触しないようなものであってもよいことに留意されたい（図５Ｂに示すとおり）。したがって、前記永久磁石１１０、１２０の１つの極のみが前記要素５１０、５２０と直接接触するように、及びしたがって前記要素５１０、５２０が、必要とされる極（すなわち、前記永久磁石１１０、１２０と接触している同じ極）によって磁化され得るように、前記要素５１０、５２０及び前記永久磁石１１０、１２０は、配置され得る。
【００５１】
図６Ａ及び６Ｂは、いくつかの実施形態による当該配置１００の鳥瞰図を示す。図６Ａを参照すると、磁性オブジェクト６１０は、永久磁石６３０を取り囲んでいる。磁性オブジェクト６１０は、第１の磁性オブジェクト２１０及び第２の磁性オブジェクト２２０の一方又は両方を指し得る。対応して、永久磁石６３０は、永久磁石６３０の一方又は両方を指し得る。上述のように、包囲する磁性オブジェクト６１０は完全に又は部分的に磁性であってもよいことに留意する必要がある。
【００５２】
一実施形態において、前記磁性オブジェクト６１０は、軸方向に磁化された永久リング磁石を含む。すなわち、前記リング磁石は、前記永久磁石６３０を取り囲んでもよい。
【００５３】
一実施形態において、図６Ａを参照すると、前記オブジェクト６１０と前記永久磁石６３０との間に１つのさらなる磁気要素６２０を配置することができる。前記さらなる要素６２０は、図３の前記要素３１０及び前記要素３２０の一方又は両方を指すことができる。一実施形態によると、前記要素６２０は、前記軸方向に磁化された永久リング磁石のコアを形成する（すなわち、要素６１０を含んだか、又は形成する）。前記要素６２０は、前記永久磁石６３０のためのキャビティ又はスロットをさらに含み得る。したがって、前記永久磁石６３０は前記要素６２０に埋め込まれてもよく、且つ前記要素６２０は前記リング磁石に埋め込まれてもよい（すなわち、要素６１０を含んだか、又は形成する）。
【００５４】
図６Ｂを参照すると、図５Ａ及び５Ｂに関して図示及び説明されている状況が示されてもよい。すなわち、前記永久磁石６３０は、前記永久磁石６３０によって磁化され得る１つの要素６４０（例えば、強磁性材料を含む）によって取り囲まれ得る。上述のように、前記永久磁石６３０と前記要素６４０との間にギャップ６５０が存在し得る。前記ギャップ６５０は、前記永久磁石６３０が前記永久磁石６３０の１つの極のみを介して前記要素６４０と接触することを可能にする。前記要素６４０は、図５Ａ及び５Ｂの前記要素５１０及び要素５２０の一方又は両方を指し得る。
【００５５】
一実施形態において、前記永久磁石６３０は、ディスク磁石、すなわち軸方向に磁化された永久ディスク磁石６３０、である。
【００５６】
例えば、前記要素６２０は、円筒形キャビティを備えたシリンダーであってもよい。ここで、前記ディスク磁石６３０は、前記円筒形キャビティ内に配置されてもよい。前記キャビティはさらに、長方形であってもよい。ここで、前記磁石６３０はしたがって長方形であってもよい。前記オブジェクト６１０は、前記要素６２０を取り囲んでもよい。一実施形態において、前記オブジェクト６１０は、円筒形のキャビティを有する（又はいくつかの他の形態の）シリンダー（又はいくつかの他の形態）であり、ここで、前記要素６２０は、前記オブジェクト６１０によって形成されたキャビティ内に配置されてよい。
【００５７】
図７Ａ〜７Ｃは、いくつかの実施形態を図示する。一実施形態によれば、当該配置１００は、前記第１の磁性オブジェクト２１０と第２の磁性オブジェクト２２０との間に配置され、且つ電気入力信号に従って第２の磁場を生成するように構成される第２のコイル７２２をさらに含む。前記コイル１２２（現在、第１のコイル１２２と呼ばれる）及び前記第２のコイル７２２は、同じ入力１３０と、又は異なる入力と結合され得る。したがって、当該配置１００は、振動を生成するために前記表面１０２を変位させるために、異なる磁場を生成するために複数の異なる方法で使用されてもよい。前記入力１３０及び／又は他の何らかの入力を介した入力がない場合、前記表面１０２は力の平衡状態にある可能性がある。しかしながら、前記コイル（複数可）１２２、７２２に入力が提供されると、前記平衡状態が壊れる可能性がある。前記第２のコイル７２２は、前記第２の磁性オブジェクト２２０と結合することができる。しかし、前記第２のコイル７２２は、前記第１の磁性オブジェクト２１０に結合することができるか、さもなければ前記オブジェクト２１０、２２０の間に配置することができる。
【００５８】
ここで、一実施形態によれば、前記コイル１２２、７２２は、同じ入力１３０に接続される（例えば、図７Ａ）。すなわち、同じ、同一の、又は同様の電気入力信号が、両方のコイル１２２、７２２に同時に入力されてもよい。代替の実施形態によれば、異なる電気信号が両方のコイル１２２、７２２に入力されてもよい、及び／又は前記入力信号（複数可）は、異なる時間間隔で入力されてもよい。
【００５９】
配置１００の一実施形態によると、前記コイル１２２、７２２及び／又は前記入力１３０は、前記コイル１２２、７２２によって生成された磁場の両方が、実質的に同じ方向である（例えば、前記基部１０４に向かって、又は前記基部１０４から外側に向かって）力を前記表面１０２に引き起こすように配置される。これを達成するための複数の異なる方法があり得る。しかしながら、使用され得る少なくとも２つの解決策があり得る。
【００６０】
図７Ｂを参照すると、当該配置１００は、前記第１のコイル１２２に入力される前記電気入力信号の位相が、前記第２のコイル７２２に入力される電気入力信号の位相と比較して、実質的に１８０度異なるように、電気入力信号の位相をシフトするための移相器(phase  shifter)７２０をさらに含む。すなわち、前記信号が前記コイル１２２、７２２に入力される前に、同じか又は同様の信号が入力として使用される場合、前記コイルへの入力信号が互いに対して逆位相になるように、前記信号を処理するか又は変更することができる（例えば、アナログ処理及び／又はデジタル処理）。そのような処理の一例は、前記第２のコイル７２２への入力信号の位相を遅延させることであり得る。
【００６１】
図７Ｃを参照すると、前記第１のコイル１２２の巻線は、前記第２のコイル７２２の巻線と反対であってもよい。例えば、前記第１のコイル１２２の前記巻線が方向７５０である場合、前記第２のコイル７２２の前記巻線は反対方向７６０であり得る。したがって、同じ位相を有する入力信号が、両方のコイル１２２、７２２に入力される場合、前記コイルは、（少なくとも）実質的に異なる方向への磁場を提供する。すなわち、同じもしくは同一の入力信号が、両方のコイル１２２、７２２に入力されるように構成される。説明全体を通して、入力信号又は電気入力信号のような語句が使用されることに留意されたい。これは、交流（ＡＣ）成分を有する電気入力信号を指す場合がある。前記信号は、直流（ＤＣ）成分を有しても有しなくてもよい。しかしながら、一般に知られているように、コイル内の前記交流は磁場を引き起こす可能性がある。これは一般に電磁石機能と呼ばれる。
【００６２】
前記コイル（複数可）１２２、７２２は、前記磁石１１０、１２０と前記磁性オブジェクト２１０、２２０との間に配置され得る。その結果、前記入力信号（複数可）によって前記表面に引き起こされる主要な力成分は、前記基部に向かって、又は前記基部から離れる方向に実質的に直交する。例えば、前記巻線は、前記コイル１２２、７２２の上面図を図示する図７Ｃに示されるように、前記磁石１２０又はオブジェクト２２０上に配置され得る。
【００６３】
一実施形態において、前記コイル１２２、７２２は、鉄心などのコアを有する。前記コイル１２２又は前記第２のコイル７２２が前記磁石１２０上に又は前記オブジェクト２２０上に配置されるとき、前記コアは、前記磁石１２０又は前記オブジェクト２２０に直交し得る。
【００６４】
一実施形態において、前記第１及び第２の力は実質的に等しい大きさである。すなわち、前記磁性オブジェクト２１０、２２０及び前記永久磁石１１０、１２０は、前記力が実質的に等しくなるように配置され、寸法決めされ、且つ構成されてもよい。したがって、前記表面１０２が力の平衡状態にあるとき、前記表面１０２へのひずみはさらに低減され得る。前記力の大きさが等しくない場合、前記平衡状態は、弾性要素（例えば、１０８）を使用して、及び／又は前記湾曲表面１０２によって引き起こされるばね力に依存して、達成され得る。
【００６５】
一実施形態において、前記コイル７２２は、前記第２の磁性オブジェクト２２０の永久磁石又は前記第１の磁性オブジェクト２１０の永久磁石に取り付けられる。例えば、前記第１及び第２の磁性オブジェクト２１０、２２０の両方で永久磁石を利用する実施形態において（例えば図３）、並びに１つの永久磁石及び１つの磁化要素を利用する実施形態において（例えば図５Ａ及び５Ｂ）、前記コイル７２２は使用され得る。
【００６６】
さらに、図７Ｃには示されていないが、前記コイル１２２、７２２は、他の端部から接地電位に接続され得、その結果、１つ以上の閉電気回路が形成され得ることに留意されたい。これは、当業者の能力の範囲内であると考えられ、及びしたがって、さらに詳細には説明されない。
【００６７】
図８は一実施形態を図示する。図を参照すると、装置(an  apparatus)８００が示されている。前記装置８００は、前記表面１０２（例えば、前記装置８００のディスプレイ）及び前記基部１０４（図８には示されていない）を含み得る。さらに、前記装置８００は、上で及び／又は下で説明されるように、少なくとも１つの配置(arrangement)１００を含むことができる。前記配置１００は、図８では配置８１０Ａ及び８１０Ｂとして図示されている。前記装置８００において前記配置（複数可）１００を使用することにより、追加の振動要素及び／又はスピーカを使用する必要性を取り除くことができる。したがって、例えば、前記デバイス内に表示のためのより多くの空間が存在する可能性がある。これは、例えば、携帯電話、テレビなどにとって有益な機能である可能性がある。
【００６８】
図９は、電気入力信号に従って振動を生成する配置１００を製造する方法のフロー図を図示している。当該方法は、
第１の永久磁石を装置の表面と結合すること（ブロック９０２）；
第２の永久磁石を前記装置の基部に結合することであって、前記第１及び第２の永久磁石は、互いに向き合うように、且つ前記表面に第１の力を生じさせるように構成されること（ブロック９０４）；
前記第１及び第２の永久磁石の間にコイルを配置することであって、前記コイルは、振動を発生させる前記表面を変位させるために前記電気入力信号に従って磁場を生成するように構成されること（ブロック９０６）；
第１の磁性オブジェクトを前記表面と結合することであって、それにより前記第１の磁性オブジェクトが前記第１の永久磁石を少なくとも部分的に取り囲むようにすること（ブロック９０８）；
第２の磁性オブジェクトを前記基部と結合することであって、それにより前記第２の磁性オブジェクトが前記第２の永久磁石を少なくとも部分的に取り囲むようにすること（ブロック９１０）；
を含む。ここで、前記第１及び第２の磁性オブジェクトのうち少なくとも１つは永久磁石を含み、前記第１及び第２の磁性オブジェクトは互いに向き合うように、且つ前記第１の力と比較して反対方向を有する前記表面に第２の力を生じさせるように構成されてる。
【００６９】
図１０は、一実施形態による前記配置１００を図示する。図に示されるように、前記配置１００は、必ずしも前記表面１０２及び前記基部１０４を含まない。しかし、前記配置１００は、前記配置１００が前記表面１０２に及び前記基部１０４に取り付け可能であるように配置されてもよい。図１０には４つの永久磁石（すなわち、１１０、１２０、２１１、２２１）が示されているが、前記解決策は、より少ない永久磁石を利用する解決策に同様に適用可能であり得る（例えば、図５Ａ及び５Ｂ）。例えば、前記磁石１２０及び２２１は、前記要素３２０を介して互いに取り付けられてもよく、且つ前記コイル１２２は、前記形成された第１のエンティティに取り付けられてもよい。第２のエンティティは、前記要素３１０を介して前記磁石２１１及び１１０を互いに取り付けることによって形成され得る。２１１次いで、前記第２のエンティティは、例えば、前記表面１０２に、且つ前記第１のエンティティは、前記基部１０４に取り付けられ得る。場合によっては、前記取り付けは逆であってもよい（すなわち、前記第１のエンティティは前記表面１０２に取り付けられてもよい）。前記コイル７２２が図１０の実施形態で使用されることも可能である（すなわち、図７Ａ〜７Ｃの例）。また、前記ばね又は他の弾性要素（使用する場合）は、前記第１のエンティティと第２のエンティティとの間に直接配置することができる（例えば、前記エンティティ間に取り付ける）。したがって、前記第１のエンティティと第２のエンティティを含むアセンブリを、振動を得るための装置（例えば音発生装置）の表面及び基部に容易に取り付けることができる。
【００７０】
この用途で使用される場合、強磁性材料は、コバルト、鉄、ニッケル、ガドリニウム、ジスプロシウム、パーマロイ、アワルワ鉱(awaruite)、ワイラカイト、及びマグネタイトのうち少なくとも１つを含むことができる。いくつかの実施形態において、前記強磁性材料は、前記材料のうち２つ以上を含む。例えば、上記の永久磁石は、記載された材料から作製されてもよく、及び／又は記載された材料を含んでもよい。
【００７１】
一実施形態において、前記第１の磁石１１０及び／又は前記第２の磁石１２０は、ネオジム及び／又はフェライトから作製、及び／又はネオジム及び／又はフェライトを含む。そのような場合、前記第１及び／又は第２の磁石１１０、１２０のｋＪ／ｍ２値は、例えば、２５０〜４００ｋＪ／ｍ２の間であり得る。同様に、上記の他の永久磁石は、前記材料（複数可）を含み得る。
【００７２】
一態様によれば、電気入力信号に従って振動を生成するための配置１００が提供される。当該配置は、以下：
第１の永久磁石１１０を含む第１の永久磁石配置(arrangement)と；
磁性材料を含むフレーム１１１０と；
前記第１の永久磁石１１０と前記フレーム１１１０との間に配置されるように、且つ前記フレーム１１１０と結合されるように構成される第２の永久磁石１２０であって、前記フレーム１１１０の１つ以上の部分は、前記第２の永久磁石１２０のエッジ領域にわたって少なくとも一方向に延在し、前記第２の永久磁石１２０は、前記第１の永久磁石１１０と距離をおいて向かい合うようにさらに構成され、それにより、前記第１の永久磁石１１０と前記第２の永久磁石１２０との間の磁気相互作用が、装置(an  apparatus)の表面１０２に第１の力を引き起こす、ここで、前記第１の力と比較して反対方向を有する前記表面１１１０に第２の力を生じさせるために、前記フレーム１１１０の前記１つ以上の部分と前記第１の永久磁石配置との間に磁気相互作用を引き起こすために、前記第２の永久磁石１２０によって磁化されるように、前記フレーム１１１０は構成される、第２の永久磁石１２０と；
電気入力信号を受信するための入力と結合されたコイル１２２であって、前記コイルは、振動を生成する前記表面を変位させるために、前記電気入力信号に従って磁場を生成するように構成された、コイル１２２と；
を含む。
【００７３】
説明したように、前記フレーム１１１０の前記１つ以上の部分は、前記第２の永久磁石１２０のエッジ領域にわたって少なくとも一方向に延在することができる。したがって、例えば、前記第２の永久磁石１２０が前記フレーム１１１０上にある場合、前記第２の永久磁石１２０に対して配置される前記フレーム１１１０の前記表面の表面積は、前記フレーム１１１０に対して配置される前記第２の永久磁石１２０の前記表面の表面積より大きくてもよい、すなわち、前記永久磁石１２０の前記エッジにわたり、少なくとも一方向に延在することができる。したがって、例えば、前記フレーム１１１０の前記１つ以上の部分は、図１５の上面図で見ることができる。前記フレーム１１１０はまた、例えば、円形又は他の何らかの形状であってもよい。
【００７４】
図１１、１２、１３、１４、１５、及び１６は、いくつかの実施形態を図示している。前記フレーム１１１０は、例えば、磁性オブジェクト２１０もしくは２２０、又は要素３１０、３２０であり得るか、又はそれらに含まれ得る。したがって、前記フレームは、例えば、前記磁化された要素３１０、３２０と同様であり得る。しかしながら、一実施形態によれば、前記フレーム１１１０（及びそのようなものが使用される場合は、前記第２のフレーム１１２０、すなわち１１２０は必要ではないかもしれないが有用であり得る）は磁石もしくは永久磁石ではないが、例えば、永久磁石（例えば、磁石１２０）を使用することによって磁化することができる、磁性材料を含む要素である。例えば、前記第２の永久磁石１２０は、前記フレーム１１１０を磁化するために前記フレーム１１１０と物理的に結合されてもよい。
【００７５】
図１１、１２、及び１３は、前記コイル１２２が、前記第２の永久磁石１２０を取り囲むように配置されるように構成されるいくつかの実施形態を示す。すなわち、前記コイル１２２は必ずしも前記永久磁石１１０、１２０の間にあるのではない。しかしながら、そのような解決策を利用することもできる。前記永久磁石１２０を前記コイル１２２で取り囲むことは、例えば、前記磁石１１０、１２０間の空間を減少させるという利点を提供し得る。したがって、前記第１の力が増加する可能性があり、したがって、より効率的な解決策が提供される可能性がある。一実施形態において、前記コイル１２２は、前記第２の永久磁石の周りにループするように構成される。前記コイル１２２を前記永久磁石１２０の周囲又は前記第１の永久磁石１１０の周囲に配置することは、上記の他の解決策でも使用することができる。
【００７６】
一実施形態によれば、前記第１の永久磁石配置は前記表面１０２と結合され、且つ前記フレーム１１１０は前記装置の前記基部１０４と結合される。ただし、これは逆の場合もある。つまりフレーム１１１０は、前記表面１０２と結合されてもよく、且つ前記第１の永久磁石配置は、前記基部１０４と結合されてもよい。
【００７７】
図１１、１２、及び１３に示されるように、前記フレーム１１１０の形状は異なり得る。例えば、それは、図１２及び１３に示されるように単に平面又はプレートであり得るか、又は図１１に示されるように前記第２の永久磁石１２０及び／又は前記コイル１２２のためのキャビティを提供し得る。両方の場合、前記第２の力は、前記第１の永久磁石１１０と前記フレーム１１１０との間の磁気相互作用によって引き起こされる。すなわち、これは、前記第２の永久磁石１２０によって覆われていない領域で起こり得る。例えば、入力信号が前記コイル１２２に提供されない場合でも、前記磁気相互作用は前記コイル１２２を介して起こり得る。例えば、前記第２の永久磁石１２０の前記エッジにわたって延在する前記フレーム１１１０の前記パーツは、前記フレーム１１１０に取り付けられた前記第２の永久磁石１２０の極と同じ極性で磁化されてもよい。
【００７８】
一実施形態によれば、前記コイル１２２は、少なくとも一方向に前記第２の永久磁石１２０の前記エッジ領域にわたって延在する前記フレーム１１１０の前記１つ以上の部分と、前記第１の永久磁石配置との間に位置する。これは、例えば、図１１、１２、及び１３で見ることができる。
【００７９】
一実施形態において、前記第１及び第２の永久磁石１１０、１２０の同じ極性が互いに向き合うように配置される。したがって、例えば、NもしくはS極性が互いに向き合ってもよく、それによって、前記表面１０２を前記基部１０４から遠ざけるようにプッシュする力を生成する。しがたって例えば、S極が互いに向き合うように配置されている場合、前記第２の永久磁石１２０は、N極性で前記フレーム１１１０を磁化する。したがって、前記フレーム１１１０の前記１つ以上の部分と、前記第１の永久磁石構成との間の磁気相互作用により、引っ張る力が生じる可能性がある（すなわち、表面が前記基部１０４に向かって引っ張られる）。説明されるように、これは、前記第１の力に平衡力を提供することができる。ただし、前記第１及び第２の力は必ずしも同じ大きさではない。一実施形態において、前記第１及び第２の力は実質的に等しい大きさである。
【００８０】
さらに図１１、１２、及び１３を参照すると、一実施形態において、前記第２の永久磁石１２０に面する前記第１の永久磁石１１０の表面の表面積は、前記第１の永久磁石１１０に面する前記第２の永久磁石１２０の表面の表面積よりも大きい。これらのさらなる例は、円形磁石１１０、１２０が使用される図１５及び１６に見ることができる。ただし、他の何らかの形状の磁石を使用することも同様に可能である。このアプローチを使用すると、前記第２の力が前記第１の永久磁石１１０と前記フレーム１１１０との間の相互作用によって引き起こされることが可能になる。それらは少なくともいくつかの部分で互いに直接向き合っている可能性があるためである。前記コイル１２２は、前記第１の永久磁石１１０と前記フレーム１１１０との間に配置されてもよく、これにより、前記表面１０２を振動させる前記コイル１２２の能力をさらに強化することができる。
【００８１】
一実施形態において、前記第２の力は、前記第１の永久磁石１１０と、前記フレーム１１１０の前記１つ以上の部分との間の磁気相互作用によって、少なくとも引き起こされる。例えば、図１１、１２、及び１３における例。
【００８２】
一実施形態において、前記コイル１２２は、前記フレーム１１１０の前記１つ以上の部分と前記第１の永久磁石１１０との間に直接置かれる。再び、例は、図１１、１２、及び１３において見ることができる。
【００８３】
図１４は一実施形態を図示している。図１４を参照すると、前記フレーム１１１０の前記１つ以上の部分と前記第１の永久磁石配置との間に磁気相互作用を生成するため、前記第１の永久磁石配置は、前記フレーム１１１０の前記１つ以上の部分（すなわち、前記第２の永久磁石１２０の前記エッジ領域にわたって延在する部分（複数可）に面するように構成される第３の永久磁石１４１０をさらに含む。
【００８４】
一実施形態において、前記第３の永久磁石１４１０は、前記第１の永久磁石１１０を取り囲むように構成される。例えば、前記第３の磁石１４１０は、永久リング磁石であってよい。
【００８５】
前記第３の永久磁石１４１０が前記第２の永久磁石１２０と直接磁気的に相互作用することがさらに可能である。したがって、例えば、これは、さらなる引張力を生成するか、又は前記第２の力の大きさを増大させ得る。
【００８６】
したがって、例えば、前記第１の永久磁石配置は、すべてが一緒に結合された、反対の磁気分極を有する２つの永久磁石１１０、１４１０及び１つの鉄製のカップ（例えば、フレーム１１２０）を含むことができる。前記第２の永久磁石１２０は、前記第１の永久磁石１１０により反発力（すなわち、第１の力）を、及び前記第３の磁石１４１０により吸引力（すなわち、第２の力）を生成することができる。
【００８７】
例えば、磁石と鉄製のカップ（フレーム１１１０及び／又は１１２０は鉄製のカップと呼ばれることもある）の寸法及び材料は、前記コイル１２２に電気入力信号がない場合（例えばスピーチコイル）、これらの反発力と吸引力が、設計された中心位置で上下方向に互いに相殺されるように選択される。電気入力信号により、前記表面に追加の力が発生する。この力は、電流の方向に応じて反発性又は吸引性になる可能性があり、したがって、前記コイル１２２内の交流は、電気入力信号に従って表面部分を上下方向に振動させる。
【００８８】
図１４の例示的な実施形態において、前記第１の永久磁石１１０は、前記フレーム１１１０との実質的な磁気相互作用を必ずしも有しない。したがって、前記第２の力は、前記第３及び第２の永久磁石１４１０、１２０の間、及びおそらく前記フレーム１１１０の前記１つ以上の部分と前記第３の永久磁石１４１０との間の相互作用によって引き起こされ得る。
【００８９】
一実施形態において、前記フレームは、前記コイル１２２及び前記第２の永久磁石１３０のためのKキャビティを含む。これについての例は、例えば、図１１に見ることができる。
【００９０】
一実施形態において、前記第１の永久磁石配置は、磁性材料を含む第２のフレーム１１２０を含む。前記第２のフレーム１１２０は、前記第１の永久磁石配置と、前記第２の永久磁石１２０と結合されている前記フレーム１１１０の前記の１つ以上の部分との間の前記磁気相互作用によって生じる前記第２の力を増大させるために、前記第１の永久磁石配置の１つ以上の永久磁石（例えば１１０）によって磁化されるように構成される。これについての例は、図１１、１２、及び１４に見ることができる。図１３に示されるように、前記第２のフレーム１１２０の使用は必要でないかもしれない。しかしながら、前記第２のフレーム１１２０を使用することにより、例えば、前記第２の力の構成可能性をさらに向上させることができる。
【００９１】
上記のように、図１５及び１６は、前記配置１００の一方の部分に円形の第２の永久磁石１２０及び前記配置１００の他方の部分に円形の第１の永久磁石１１０を示すいくつかの実施形態を図示し得る。同様に、コイル１２２及びフレーム１１１０が示される。さらに、前記第２のフレーム１１２０が使用される場合、それは図１６に図示されるように配置され得る。したがって、例えば、前記第２のフレーム１１２０は、少なくとも片側が見えるように、前記第１の永久磁石１１０を受容／収容するためのキャビティを提供し得る。同様のハウジングが、前記第１のフレーム１１１０を使用することによって、前記第２の永久磁石１２０及び前記コイル１２２のために配置され得る。
【００９２】
添付図面による例を参照して本発明を説明してきたが、本発明はそれに限定されないが、添付の特許請求の範囲内でいくつかの方法で変更できることは明らかである。したがって、すべての単語及び表現は広く解釈されるべきであり、それらは、実施形態を限定するためではなく、例示するためのものである。技術が進歩するにつれて、本発明の概念が様々な方法で実装され得ることは、当業者には明らかであろう。本発明及びその実施形態は、上記の例に限定されず、特許請求の範囲内で変化し得る。
【００９３】
１．
電気入力信号に従って振動を生成するための配置であって、当該配置は、以下：
第１の永久磁石を含む第１の永久磁石配置と；
磁性材料を含むフレームと；
前記第１の永久磁石と前記フレームとの間に配置されるように、且つ前記フレームと結合されるように構成される第２の永久磁石であって、前記フレームの１つ以上の部分は、前記第２の永久磁石のエッジ領域にわたって少なくとも一方向に延在し、
前記第２の永久磁石は、前記第１の永久磁石と距離をおいて向かい合うようにさらに構成され、それにより、前記第１の永久磁石と前記第２の永久磁石との間の磁気相互作用が、装置の表面に第１の力を引き起こす、
ここで、前記第１の力と比較して反対方向を有する前記表面に第２の力を生じさせるために、前記フレームの前記１つ以上の部分と前記第１の永久磁石配置との間に磁気相互作用を引き起こすために、前記第２の永久磁石によって磁化されるように、前記フレーム１１１０は構成される、
第２の永久磁石１２０と；
電気入力信号を受信するための入力と結合されたコイルであって、前記コイルは、振動を生成する前記表面を変位させるために、前記電気入力信号に従って磁場を生成するように構成された、コイルと；
を含む配置。
２．
前記コイルは、前記第２の永久磁石を取り囲むように配置されるように構成される、請求項１に記載の配置。
３．
前記コイルは、前記フレームの前記１つ以上の部分と前記第１の永久磁石配置との間に位置するように構成される、請求項２に記載の配置。
４．
前記第１の永久磁石配置が、前記表面と結合されるように構成され、且つ前記フレームが、前記装置の基部と結合されるように構成される、請求項１から３のいずれかに記載の配置。
５．
前記第１及び第２の永久磁石の同じ極性が互いに向き合うように構成される、請求項１から４のいずれかに記載の配置。
６．
前記第２の永久磁石に面するように構成される前記第１の永久磁石の表面の表面積は、前記第１の永久磁石に面するように構成される前記第２の永久磁石の表面の表面積よりも大きい、請求項１〜５のいずれか一項に記載の配置。
７．
前記第２の力は、前記第１の永久磁石と前記フレームの前記１つ以上の部分との間の磁気相互作用によって少なくとも引き起こされるように構成される、請求項６に記載の配置。
８．
前記コイルが、前記フレームの前記１つ以上の部分と前記第１の永久磁石との間に直接位置されるように構成される、請求項６又は７に記載の配置。
９．
前記第１の永久磁石配置は、前記フレームの前記１つ以上の部分と前記第１の永久磁石配置との間に前記磁気相互作用を生成するために、前記フレームの前記１つ以上の部分に面するように構成された第３の永久磁石をさらに含む、請求項１〜８のいずれか一項に記載の配置。
１０．
前記第３の永久磁石は、前記第１の永久磁石を取り囲むように構成される、請求項１〜９のいずれか一項に記載の配置。
１１．
前記フレームが、前記コイル及び前記第２の永久磁石のためのキャビティを含む、請求項１〜１０のいずれか一項に記載の配置。
１２．
前記第１の永久磁石配置は、磁性材料を含む第２のフレームを含み、前記第２のフレームは、前記第１の永久磁石配置と、前記第２の永久磁石と結合された前記フレームの前記１つ以上の部分との間の前記磁気相互作用によって引き起こされた前記第２の力を増大させるために、前記第１の永久磁石配置の１つ以上の永久磁石によって磁化されるように構成されている、請求項１〜１１のいずれか一項に記載の配置。
１３．
当該配置は、前記電気入力信号に従ってオーディオ出力を生成するためのものである、請求項１〜１２のいずれかに記載の配置。
１４．
当該配置は、前記電気入力信号に従って触覚フィードバックを生成するためのものである、請求項１〜１３のいずれかに記載の配置。
１５．
前記コイルは、前記第２の永久磁石の周りにループされるように構成される、請求項１〜１４のいずれか一項に記載の配置。
１６．
表面；及び
請求項１〜１５のいずれか一項に記載の１つ以上の配置；
を含む装置。
【先行技術文献】
【特許文献】
【００９４】
【特許文献１】ＷＯ２０１６／０７９３８５Ａ１
【図１】
2021500833.tif 000003
【図２】
2021500833.tif 000004
【図３】
2021500833.tif 000005
【図４Ａ】
2021500833.tif 000006
【図４Ｂ】
2021500833.tif 000007
【図５Ａ】
2021500833.tif 000008
【図５Ｂ】
2021500833.tif 000009
【図６Ａ】
2021500833.tif 000010
【図６Ｂ】
2021500833.tif 000011
【図７Ａ】
2021500833.tif 000012
【図７Ｂ】
2021500833.tif 000013
【図７Ｃ】
2021500833.tif 000014
【図８】
2021500833.tif 000015
【図９】
2021500833.tif 000016
【図１０】
2021500833.tif 000017
【図１１】
2021500833.tif 000018
【図１２】
2021500833.tif 000019
【図１３】
2021500833.tif 000020
【図１４】
2021500833.tif 000021
【図１５】
2021500833.tif 000022
【図１６】
2021500833.tif 000023
【国際調査報告】
2021500833.tif 000024
2021500833.tif 000025